(57)【要約】【課題】ローストチキン又は焼き鳥の足等の食品に取付けた場合であっても、食品の油分等が浸透せずに美観を維持できるとともに、運搬時等に装飾部等が変形した場合であっても、元の形状に復元し易い食品の装飾体およびその製造方法を提供することを目的とする。【解決手段】基端部１１ａを食品の棒状部に被せる筒状体１１と該筒状体１１の先端部１１ｂの周面に沿って設けられた複数の環状体１２で構成された装飾部１３とを備え、前記筒状体１１と前記装飾部１３とを熱可塑性樹脂製シート材により形成した。【選択図】      図１
2004160697.tif 000002
【特許請求の範囲】
【請求項１】
基端部を食品の棒状部に被せる筒状体と、
該筒状体の先端部の周面に沿って設けられた複数の環状体で構成された装飾部と、
を備え、
前記筒状体と前記装飾部とは熱可塑性樹脂製シート材により形成されてなることを特徴とする食品の装飾体。
【請求項２】
適宜大きさの熱可塑性樹脂製シート材に複数の切込みを所定間隔を隔てて並列的に形成し、前記切込みの長さ方向の略中央部にて二つ折りにし、二つ折りにした折り目と交差する両端部を筒状となるように巻回して接合することを特徴とする食品の装飾体の製造方法。
【請求項３】
適宜大きさの熱可塑性樹脂製シート材を二つ折りにし、二つ折りにした折り目から複数の切込みを所定間隔を隔てて並列的に形成し、前記折り目と交差する両端部を筒状となるように巻回して接合することを特徴とする食品の装飾体の製造方法。
【請求項４】
基端部を食品の棒状部に被せる筒状体と、
該筒状体の先端部の周面に沿って設けられた複数の環状体で構成された装飾部と、
を備え、
前記装飾部は、前記環状体を前記筒状体の先端部の周面において前記筒状体の長さ方向に複数段形成したことを特徴とする食品の装飾体。
【請求項５】
適宜大きさのシート材に複数の切込みを所定間隔を隔てて所定幅ごとに異なる長さに並列的に形成し、前記切込みの長さ方向の略中央部にて二つ折りにし、二つ折りにした折り目と交差する両端部を筒状となるように巻回して接合することを特徴とする食品の装飾体の製造方法。
【請求項６】
適宜大きさのシート材を二つ折りにし、二つ折りにした折り目から複数の切込みを所定間隔を隔てて所定幅ごとに異なる長さに並列的に形成し、前記折り目と交差する両端部を筒状となるように巻回して接合することを特徴とする食品の装飾体の製造方法。
【発明の詳細な説明】
【０００１】
【発明が属する技術分野】
本発明は、例えばローストチキン又は焼き鳥の足等に取付けられ、これらの食品を装飾する装飾体及びその製造方法に関する。
【０００２】
【従来の技術】
従来、ローストチキン又は焼き鳥の足等に取付けられ、これらの食品を装飾する装飾体１００は、図７に示すように、基端部をローストチキン又は焼き鳥の足等に取付ける筒状体１１０と、該筒状体１１０の先端部外周面に両端を連結させた環状体１２０を先端部外周面に沿って螺旋状となるように複数設けて構成した装飾部１３０とを備えており、該装飾部１３０は全体として開花した形状となるように形どられている。なお、図中１４０は、固定用の紙テープである。
【０００３】
前記従来の装飾体１００を製造するには、まず、図８（ィ）に示すように、適宜大きさの長方形状の紙材を二つ折りにして、二つ折りにした折り目側から、折り目と直交する切込み１５０を、適宜間隔に折り目の全長にわたって設ける。次に図８（ロ）に示すように、前記折り目と交差する一方の短辺Ａを、対向する他方の短辺Ｂに向けて、螺旋状となるように巻回する。
【０００４】
そして、所定間隔の螺旋となるように、三重程度螺旋状に巻回した前記筒状体１１０の基端部に接着剤を塗布した紙テープ１４０を巻いて固定し、図８（ハ）に示すように、はみ出した基端部を、例えば図中の点線に沿って切り揃える。その後、前記環状体１２０を、前記筒状体１１０の径方向外方に向けて膨出するように、指等で形どって、前記装飾部１３０を花びらが開花したように装飾する。
【０００５】
【発明が解決しようとする課題】
しかしながら、従来の装飾体１００は、パラフィン紙等の紙材又は紙材の表面にアルミ泊を蒸着した素材で形成されており、ローストチキン又は焼き鳥の足等の食品に取付けた場合には、これら食品の油分等が紙材に浸透し、浸透した部分が変色して、斑状の染みとなり、前記装飾体１００の美観を損ねる場合がある。
【０００６】
また、前記装飾体１００を、ケースに詰め込んで運搬等する場合には、前記のように装飾部１３０を膨出した状態で運搬するために、この膨出した装飾部１３０が変形し易くなる。そして、前記装飾体１００は、紙材又は紙材の表面にアルミ泊を蒸着した素材で形成されており、紙材をベースとして形成されているため、復元性に欠け、一旦、変形すると元の形状に戻りにくく、あるいは、戻らなくなるという問題が生じる。
【０００７】
さらに、前記装飾体１００の前記装飾部１３０は、前記環状体１２０が前記筒状体１１０の先端部において螺旋状に形成されているため、前記装飾体１００の側面視等において、恰も花びらが螺旋状に有るが如く看取され、かかる美観を呈している。
【０００８】
本発明は、かかる事情に鑑みてなされたものであり、基端部を食品の棒状部に被せる筒状体と該筒状体の先端部の周面に沿って設けられた複数の環状体で構成された装飾部とを備え、前記筒状体と前記装飾部とを熱可塑性樹脂製シート材により形成することにより、ローストチキン又は焼き鳥の足等の食品に取付けた場合であっても、食品の油分等が浸透せずに美観を維持できるとともに、運搬時等に装飾部等が変形した場合であっても、元の形状に復元し易い食品の装飾体およびその製造方法を提供することを目的とする。
【０００９】
また、本発明の他の目的は、前記装飾部の形状等を工夫することにより、従来とは違った美観を呈する装飾性に優れた装飾体およびその製造方法を提供することを目的とする。
【００１０】
【課題を解決するための手段】
請求項１に記載の食品の装飾体は、基端部を食品の棒状部に被せる筒状体と、該筒状体の先端部の周面に沿って設けられた複数の環状体で構成された装飾部と、を備え、前記筒状体と前記装飾部とは熱可塑性樹脂製シート材により形成されてなることを特徴とする。
【００１１】
請求項１に記載の発明にあっては、前記筒状体と前記装飾部とを熱可塑性樹脂製シート材により形成しているので、食品に取り付けた場合であっても、食品の油分等が浸透せずに美観を維持できるとともに、運搬時等に装飾部等が変形した場合であっても、元の形状に復元し易くなる。
【００１２】
請求項２に記載の食品の装飾体の製造方法は、適宜大きさの熱可塑性樹脂製シート材に複数の切込みを所定間隔を隔てて並列的に形成し、前記切込みの長さ方向の略中央部にて二つ折りにし、二つ折りにした折り目と交差する両端部を筒状となるように巻回して接合することを特徴とする。
【００１３】
請求項２に記載の発明にあっては、一枚のシート材から食品の装飾体を容易に製造することができる。
【００１４】
請求項３に記載の食品の装飾体の製造方法は、適宜大きさの熱可塑性樹脂製シート材を二つ折りにし、二つ折りにした折り目から複数の切込みを所定間隔を隔てて並列的に形成し、前記折り目と交差する両端部を筒状となるように巻回して接合することを特徴とする。
【００１５】
請求項３に記載の発明にあっては、一枚のシート材から食品の装飾体を容易に製造することができる。
【００１６】
請求項４に記載の食品の装飾体は、基端部を食品の棒状部に被せる筒状体と、該筒状体の先端部の周面に沿って設けられた複数の環状体で構成された装飾部と、を備え、前記装飾部は、前記環状体を前記筒状体の先端部の周面において前記筒状体の長さ方向に複数段形成したことを特徴とする。
【００１７】
請求項４に記載の発明にあっては、従来とは異なった美観を呈する装飾性に優れた食品の装飾体を提供することができる。
【００１８】
請求項５に記載の食品の装飾体の製造方法は、適宜大きさのシート材に複数の切込みを所定間隔を隔てて所定幅ごとに異なる長さに並列的に形成し、前記切込みの長さ方向の略中央部にて二つ折りにし、二つ折りにした折り目と交差する両端部を筒状となるように巻回して接合することを特徴とする。
【００１９】
請求項５に記載の発明にあっては、一枚のシート材から従来とは異なった美観を呈する装飾性に優れた食品の装飾体を容易に製造することができる。
【００２０】
請求項６に記載の食品の装飾体の製造方法は、適宜大きさのシート材を二つ折りにし、二つ折りにした折り目から複数の切込みを所定間隔を隔てて所定幅ごとに異なる長さに並列的に形成し、前記折り目と交差する両端部を筒状となるように巻回して接合することを特徴とする。
【００２１】
請求項６に記載の発明にあっては、一枚のシート材から従来とは違った美観を呈する装飾性に優れた食品の装飾体を容易に製造することができる。
【００２２】
【発明の実施の形態】
以下、本発明の食品の装飾体（以下、単に「装飾体」という。）の実施の形態を図面に基づいて具体的に説明する。図１は、本発明の第１の実施の形態に係る装飾体の側面図、図２は正面図である。
【００２３】
図１および図２において、１０は装飾体であり、ローストチキン又は焼き鳥の足等の食品に取り付ける前の状態のものである。該装飾体１０は、ポリプロピレン（ＰＰ）又はポリエチレンテレフタレート（ＰＥＴ）等の熱可塑性樹脂からなるフィルムシート材又はこれらにアルミニュウム等の金属箔を接合あるいはアルミニュウム等の金属を蒸着したシート材等により、後述する製造方法等によって製造される。
【００２４】
図中１１は筒状体であり、前記シート材を二重程度筒状に巻回して適宜大きさの円筒状に形成する。前記筒状体１１の基端部１１ａは、装飾すべきローストチキン等の足等が挿入して取り付けられるように開口されている。従って、前記基端部１１ａを含む筒状体１１の直径は、前記ローストチキン等の足等の食品の棒状部の直径に合わせて大きさが定められる。通常は、予め定められた直径のものを大・中・小・特大の４種類程度用意すれば足りる。
【００２５】
前記筒状体１１の先端部１１ｂには、細長い短冊状のシート材の端部をそれぞれ連結して、前記筒状体１１の長さ方向に環状体１２をなすべく形成しており、該環状体１２は、二重に巻回された前記筒状体１１の先端部１１ｂの周縁に沿って二重の輪状となるように、複数設けられており、この複数の環状体１２によって装飾部１３を構成している。
【００２６】
本実施の形態では前記環状体１２は、前記筒状体１１の先端部１１ｂに折り返し部を設け、この折り返し部に複数の切込みＳを設け、該切込みＳ…によって切り離された部分を前記環状体１２となしており、これにより、前記環状体１２は前記筒状体１１の先端部１１ｂと一体的に形成される。
【００２７】
なお、前記環状体１２を前記先端部１１ｂと一体的に形成せずに、細長い短冊状のシート材を別体に形成して、その両端部をそれぞれ前記先端部１１ｂに連結して環状体１２として形成してもよい。
【００２８】
前記環状体１２は、前述のように、二重に巻回された前記筒状体１１の先端部１１ｂの周縁に沿って二重の輪状となるように設けられているため、図２の正面図に示すように、内周の環状体１２ａと外周の環状体１２ｂとで、二重の装飾部１３を構成している。
【００２９】
そして、前記環状体１２ａと前記環状体１２ｂとは、同じ長さで形成されている一方、外周の前記環状体１２ｂは内周の前記環状体１２ａよりも、装飾体１０の径方向外方に拡開しているため、前記装飾部１３の側面視形状において、内周の環状体１２ａが外周の環状体１２ｂよりも若干突出して観察され、恰も二重の花が開花している如く装飾されるのである。
【００３０】
以上の如き装飾体１０の製造方法の一例を図３（ィ）ないし（ニ）に示す。先ず、図３（ィ）に示すように、短辺Ｘ，Ｙ及び長辺Ｖ，Ｗを備える適宜大きさの前述した素材からなる一枚の長方形状のフィルムシート材の短辺Ｘ，Ｙ方向の中央より一方の長辺Ｖ寄りに、短辺Ｘ，Ｙと略平行に適宜長さの切込みＳを長辺Ｖ，Ｗ方向の略全長に渡って適宜間隔を隔てて複数設けて、帯状の切込み部ＳＡを形成する。なお、この複数の切込みＳ…により適宜間隔に複数に切り離された部分が、複数の前記環状体１２（内周の環状体１２ａおよび外周の環状体１２ｂ）…を構成する。
【００３１】
次に、図３（ロ）に示すように、前記帯状の切込み部ＳＡの長さ方向の略中央から一方の長辺Ｖを、対向する長辺Ｗに向けて二つ折りにする。次に、図３（ハ）に示すように、一方の短辺Ｘを、他方の短辺Ｙ方向に向けて、長辺Ｗ−Ｖ方向にずれないように（すなわち、螺旋状とならないように）巻回する。このとき、図３（ハ）に示す一重に巻回した時点で、短辺Ｘの端部を接着して、仮止めを施してもよい。仮止めを施した場合は、二重に巻回する作業が容易となる。また、一重に巻回したときに筒状体１１の先端部１１ｂに形成された輪状の環状体１２ａが、内周の環状体１２ａとなるのである。
【００３２】
そして、図３（ニ）に示すように、短辺Ｘ−Ｙ方向に、二重程度巻回したところで、短辺Ｙの端部を接着固定して、さらに、前記環状体１２（内周の環状体１２ａおよび外周の環状体１２ｂ）を、前記筒状体１１の径方向外方に向けて膨出するように、指等で形どって、前記装飾部１３を花びらが開花したように装飾するのである。
【００３３】
また、前記装飾体１０の他の製造方法としては、図４（ィ）ないし（ハ）に示す製造方法がある。この製造方法は、先ず、図４（ィ）に示すように、一方の長辺Ｖ１を、対向する長辺Ｗ１に向けて二つ折りにし、そして、この折り目の略全長にわたって、短辺Ｘ１，Ｙ１と略平行に適宜長さの切込みＳを適宜間隔を隔てて複数設ける。なお、この複数の切込みＳ…により適宜間隔に複数に切り離された部分が、複数の前記環状体１２（内周の環状体１２ａおよび外周の環状体１２ｂ）…を構成する。
【００３４】
次に、図４（ロ）に示すように、一方の短辺Ｘ１を、他方の短辺Ｙ１方向に向けて、長辺Ｗ１−Ｖ１方向にずれないように（すなわち、螺旋状とならないように）巻回してゆく。このとき、図４（ロ）に示す一重に巻回した時点で、短辺Ｘ１の端部を接着して、仮止めを施してもよい。仮止めを施した場合は、二重に巻回する作業が容易となる。また、一重に巻回したときに筒状体１１の先端部１１ｂに形成された輪状の環状体１２ａが、内周の環状体１２ａとなるのである。
【００３５】
そして、図４（ハ）に示すように、短辺Ｘ１−Ｙ１方向に、二重程度巻回したところで、短辺Ｙ１の端部を接着固定して、さらに、前記環状体１２（内周の環状体１２ａおよび外周の環状体１２ｂ）を、前記筒状体１１の径方向外方に向けて膨出するように、指等で形どって、前記装飾部１３を花びらが開花したように装飾するのである。
【００３６】
このように製造された前記装飾体１０は、ポリプロピレン（ＰＰ）又はポリエチレンテレフタレート（ＰＥＴ）等の熱可塑性樹脂からなるフィルムシート材又はこれらにアルミニュウム等の金属箔を接合あるいはアルミニュウム等の金属を蒸着したシート材等により形成されているため、食品に取り付けた場合であっても、食品の油分等が浸透せずに美観を維持できるとともに、運搬時等に装飾部等が変形した場合であっても、元の形状に復元し易くなる。
【００３７】
（第２実施形態）
図５は、本件発明の第２の実施の形態を示す側面図である。図中２０は装飾体であり、食品に取り付ける前の状態のものである。図中２１は筒状体であり、前記シート材を二重程度巻回して適宜大きさの円筒状に形成する。該筒状体２１の基端部２１ａは、装飾すべきローストチキン等の足等が挿入されるように開口させている。
【００３８】
前記筒状体２１の先端部２１ｂには、細長い短冊状のシート材の端部をそれぞれ連結して、前記筒状体２１の長さ方向に環状体２２をなすべく形成されており、該環状体２２は、二重に巻回された前記筒状体２１の先端部２１ｂの周縁に沿って二重の輪状となるように、複数設けられて装飾部２３を構成している。
【００３９】
そして、二重の輪状となるように設けられた前記環状体２２のうち、内周の環状体２２ａは、外周の環状体２２ｂよりも、筒状体２１の先端方向に突出して設けられている。
【００４０】
このように、第２の実施の形態の装飾部２３を構成する環状体２２は、外周の環状体２２ｂよりも内周の環状体２２ａが筒状体２１の先端方向に設けられているため、筒状体２１の長さ方向において、二段に形成されることとなり、したがって、本実施の形態の装飾体２０は、その側面視において、装飾部２３の環状体２１が明確に二段形状に看取されるのであり、従来の装飾体とは異なった装飾性に優れた美観を呈することとなる。
【００４１】
前記第２の実施の形態の装飾体２０の製造方法の一例を図６（ィ）ないし（ハ）に示す。先ず、図６（ィ）に示すように、短辺Ｘ２，Ｙ２及び長辺Ｖ２，Ｗ２を備える適宜大きさの長方形状のフィルムシート材の一方の長辺Ｖ２を、対向する長辺Ｗ２に向けて二つ折りにし、そして、この折り目の略全長の半分程度に、短辺Ｘ２，Ｙ２と略平行に適宜長さの切込みＳ１を適宜間隔を隔てて複数設ける。そして、折り目の全長の残りの部分に、切込みＳ１よりも長い切込みＳ２を適宜間隔を隔てて複数設ける。なお、この複数の切込みＳ１…により適宜間隔に複数に切り離された部分が、前記環状体２２ａ（内周の環状体２２ａ）を構成し、複数の切込みＳ２…により適宜間隔に複数に切り離された部分が、前記環状体２２ｂ（外周の環状体２２ｂ）を構成する。
【００４２】
次に、図６（ロ）に示すように、一方の短辺Ｘ２を、他方の短辺Ｙ２方向に向けて、長辺Ｗ２−Ｖ２方向にずれないように（すなわち、螺旋状とならないように）巻回してゆく。このとき、図６（ロ）に示す一重に巻回した時点で、短辺Ｘ１の端部を接着して、仮止めを施してもよい。仮止めを施した場合は、二重に巻回する作業が容易となる。
【００４３】
そして、図６（ハ）に示すように、短辺Ｘ２−Ｙ２方向に、二重程度巻回したところで、短辺Ｙ２の端部を接着固定して、さらに、前記環状体２２（内周の環状体２２ａおよび外周の環状体２２ｂ）を、前記筒状体２１の径方向外方に向けて膨出するように、指等で形どって、前記装飾部１３を花びらが開花したように装飾するのである。
【００４４】
前記の製造方法では、長方形状のフィルムシート材を二つ折りにしてから、その折り目に切込みＳ１，Ｓ２を設けたが、長方形状のフィルムシート材に予め前記切込みＳ１，Ｓ２を設けておいてから、二つ折りにしてもよい。
【００４５】
また、前記長方形状のフィルムシート材は、ポリプロピレン（ＰＰ）又はポリエチレンテレフタレート（ＰＥＴ）等の熱可塑性樹脂からなるフィルムシート材又はこれらにアルミニュウム等の金属箔を接合あるいはアルミニュウム等の金属を蒸着したシート材等のみならず、パラフィン紙等の紙材又は紙材の表面にアルミ泊を蒸着した素材等で形成してもよい。
【００４６】
また、前記第２の実施の態様では、装飾体２０の筒状体２１の長さ方向に二段となるように環状体２２ａ、２２ｂを設けたが、三段以上となるように環状体を設けてもよい。この場合は、長方形状のフィルムシート材に設ける切込みは三以上の異なる長さの切込みを設けて製造すると、側面視等において、三段以上に花びらが開花するように看取される。
【００４７】
なお、前記装飾体１０は、ポリプロピレン（ＰＰ）又はポリエチレンテレフタレート（ＰＥＴ）等の熱可塑性樹脂からなるフィルムシート材にアルミニュウム等の金属箔を接合あるいはアルミニュウム等の金属を蒸着して、着色されたフィルムシート材により製造されるが、予めポリプロピレン（ＰＰ）等の熱可塑性樹脂製シート材の成形時に、例えば、白色等の色素材を混入しておいて、これにより所望の配色に成形されたシート材を使用して装飾体を形成してもよい。なお、第１の実施の形態に係る装飾体１０の材料としては、熱可塑性樹脂を基材としていればよく、前記したポリプロピレン（ＰＰ）又はポリエチレンテレフタレート（ＰＥＴ）に限定されるものではない。
【００４８】
また、前記装飾体２０も予めポリプロピレン（ＰＰ）等の熱可塑性樹脂製シート材の成形時に、例えば、白色等の色素材を混入しておいて、これにより所望の配色に成形されたシート材を使用して装飾体を形成してもよい。なお、第２の実施の形態に係る装飾体２０の材料としては、前述の素材に限定されるものではない。
【００４９】
【発明の効果】
請求項１に記載の食品の装飾体は、基端部を食品の棒状部に被せる筒状体と、該筒状体の先端部の周面に沿って設けられた複数の環状体で構成された装飾部と、を備え、前記筒状体と前記装飾部とは熱可塑性樹脂製シート材により形成されているので、請求項１に記載の発明にあっては、前記筒状体と前記装飾部とを熱可塑性樹脂製シート材により形成しているので、食品に取り付けた場合であっても、食品の油分等が浸透せずに美観を維持できるとともに、運搬時等に装飾部等が変形した場合であっても、元の形状に復元し易くなる。
【００５０】
請求項２に記載の食品の装飾体の製造方法は、適宜大きさの熱可塑性樹脂製シート材に複数の切込みを所定間隔を隔てて並列的に形成し、前記切込みの長さ方向の略中央部にて二つ折りにし、二つ折りにした折り目と交差する両端部を筒状となるように巻回して接合するので、請求項２に記載の発明にあっては、一枚のシート材から食品の装飾体を容易に製造することができる。
【００５１】
請求項３に記載の食品の装飾体の製造方法は、適宜大きさの熱可塑性樹脂製シート材を二つ折りにし、二つ折りにした折り目から複数の切込みを所定間隔を隔てて並列的に形成し、前記折り目と交差する両端部を筒状となるように巻回して接合するので、請求項３に記載の発明にあっては、一枚のシート材から食品の装飾体を容易に製造することができる。
【００５２】
請求項４に記載の食品の装飾体は、基端部を食品の棒状部に被せる筒状体と、該筒状体の先端部の周面に沿って設けられた複数の環状体で構成された装飾部と、を備え、前記装飾部は、前記環状体を前記筒状体の先端部の周面において前記筒状体の長さ方向に複数段形成しているので、請求項４に記載の発明にあっては、従来とは異なった美観を呈する装飾性に優れた食品の装飾体を提供することができる。
【００５３】
請求項５に記載の食品の装飾体の製造方法は、適宜大きさのシート材に複数の切込みを所定間隔を隔てて所定幅ごとに異なる長さに並列的に形成し、前記切込みの長さ方向の略中央部にて二つ折りにし、二つ折りにした折り目と交差する両端部を筒状となるように巻回して接合するので、請求項５に記載の発明にあっては、一枚のシート材から従来とは異なった美観を呈する装飾性に優れた食品の装飾体を容易に製造することができる。
【００５４】
請求項６に記載の食品の装飾体の製造方法は、適宜大きさのシート材を二つ折りにし、二つ折りにした折り目から複数の切込みを所定間隔を隔てて所定幅ごとに異なる長さに並列的に形成し、前記折り目と交差する両端部を筒状となるように巻回して接合するので、請求項６に記載の発明にあっては、一枚のシート材から従来とは異なった美観を呈する装飾性に優れた食品の装飾体を容易に製造することができる。
【図面の簡単な説明】
【図１】本発明の第１の実施例に係る食品の装飾体の側面図である。
【図２】本発明の第１の実施例に係る食品の装飾体の正面図である。
【図３】（ィ）ないし（ニ）は本発明の第１の実施例に係る食品の装飾体の製造方法の一例である。
【図４】（ィ）ないし（ハ）は本発明の第１の実施例に係る食品の装飾体の製造方法の他の例である。
【図５】本発明の第２の実施例に係る食品の装飾体の側面図である。
【図６】（ィ）ないし（ハ）は本発明の第２の実施例に係る食品の装飾体の製造方法の一他である。
【図７】従来の食品の装飾体を示す側面図である。
【図８】（ィ）ないし（ハ）は従来の食品の装飾体の製造方法である。
【符号の説明】
１０    食品の装飾体
１１    筒状体
１１ａ  基端部
１１ｂ  先端部
１２    環状体
１２ａ  内周の環状体
１２ｂ  外周の環状体
１３    装飾部
【図１】
2004160697.tif 000003
【図２】
2004160697.tif 000004
【図３】
2004160697.tif 000005
【図４】
2004160697.tif 000006
【図５】
2004160697.tif 000007
【図６】
2004160697.tif 000008
【図７】
2004160697.tif 000009
【図８】
2004160697.tif 000010